(57)【要約】    【課題】  本体装置に着脱可能に使用される長さの異なるリムーバブルＨＤＤを受容することができる簡素な構成のソケット機構を備えたローディング装置を提供する。    【解決手段】  本体装置に着脱可能なリムーバブルＨＤＤ１が、スライド部２０に搭載されたコネクタ２１に挿入されると、スライド部２０がソケット５の奥へ移動する。リムーバブルＨＤＤ１は所定位置まで挿入されるとロックツメ８，９によりソケット５へ固定される。排出時はロックツメ８，９を解除すると、バネ２５によりスライド部２０が矢印Ｊ方向に押し出され、リムーバブルＨＤＤ１は排出される。【選択図】      図１
2005285206.tif 000002
【特許請求の範囲】
【請求項１】
電子部品に電気的に接続された第一コネクタを有する電子機器の前記第一コネクタに電気的に接続する第二コネクタと、
前記第二コネクタを搭載した第一シャーシと、
前記電子機器の挿入排出方向へ前記第一シャーシをガイドするガイド部材を有する第二シャーシと、
前記第一シャーシを前記電子機器の排出方向へ付勢する付勢手段とを備え、
前記第一コネクタと前記第二コネクタとが接続されて、前記電子機器を当該ローディング装置から取り外し可能な第一の位置と、前記第一コネクタと前記第二コネクタとが接続されて、前記電子機器を当該ローディング装置から取り外すことができない第二の位置との間で前記第一シャーシが移動可能であることを特徴とするローディング装置。
【請求項２】
前記電子機器が前記第二の位置にあるとき、該電子機器が当該ローディング装置にロック状態にあり、前記電子機器が前記第一の位置にあるときに、該電子機器が当該ローディング装置からロック解除状態にあり、
前記ロック状態を解除するためのロック解除機構を有することを特徴とする請求項１に記載のローディング装置。
【請求項３】
前記電子機器が前記第二の位置にあるときに、該電子機器の側面に設けられた凹部へ係止されるロック部材を設け、
前記電子機器が前記第一の位置にあるときに、前記ロック部材が前記凹部から離脱した位置にあることを特徴とする請求項１または２に記載のローディング装置。
【請求項４】
前記ロック部材は、
前記第二シャーシに回転またはスライド可能に設けられ、バネ部材により前記凹部に対して係止方向に付勢され、前記電子機器を前記ガイド部材を介して挿入するときは該電子機器の側面に沿って開いて、前記第二の位置で前記凹部へ係止される構成としたことを特徴とする請求項３に記載のローディング装置。
【請求項５】
前記第一シャーシが前記第一の位置と前記第二の位置の間で移動するときに、所定の位置で前記第一シャーシの移動速度を落とす機構を設けたことを特徴とする請求項１乃至４の何れかに記載のローディング装置。
【請求項６】
前記第一シャーシを前記電子機器の挿入方向へ移動するときに所定の大きさの負荷をかけ、前記第一シャーシを前記電子機器の排出方向へ移動するときには前記負荷よりも小さい負荷をかける機構を有することを特徴とする請求項１乃至５の何れかに記載のローディング装置。
【請求項７】
前記第一コネクタを前記第二コネクタへ接続するための力は、前記第一シャーシを前記第一の位置から前記第二の位置へ移動する力よりも小さくなるように構成したことを特徴とする請求項１乃至６に記載のローディング装置。
【請求項８】
内蔵した電子部品に電気的に接続された第１コネクタを有する電子機器を装着可能なローディング装置であって、
前記第１コネクタと接続される第２コネクタを搭載した第１シャーシと、
前記第１シャーシを保持し、前記電子機器の挿入および排出方向へ移動可能な第２シャーシと、
前記第１シャーシに前記電子機器を装着した状態で移動する前記第１シャーシを、前記電子機器の側面に設けられた部材の位置において前記第１シャーシをロックするロック部材とを備え、
前記装着される電子機器の長さの違いにより、前記ロック部材によるロック位置が異なることを特徴とするローディング装置。
【発明の詳細な説明】
【技術分野】
【０００１】
本発明は、ローディング装置に関し、特に、電子部品例えばハードディスクや半導体メモリ等の記憶媒体を内蔵し、パーソナルコンピュータ等の電子機器に実装されるローディング装置に関するものである。
【背景技術】
【０００２】
部品の小型化や高性能化により、持ち運び可能なノート型パーソナルコンピュータが実用化されている。また、職場ではデスクトップ型パーソナルコンピュータとノート型パーソナルコンピュータを所有し、自宅にも複数台のパーソナルコンピュータを所有する人が増えている。そのため、パーソナルコンピュータ内のハードディスクに蓄えられたデータを一元的に管理したり、大容量のデータを持ち運びたいというニーズが生じている。
【０００３】
一方で、デジタルカメラやデジタルビデオカメラの普及により、デジタルデータの情報量が非常に大きくなり、ハードディスクの使用可能領域がすぐに不足してしまうという問題も発生してきている。そこで、容量の少ない古いハードディスクを容量の大きいハードディスクに簡単に交換したいというニーズが増加してきている。
【０００４】
これらのニーズに対応するため、持ち運びが容易で簡単に交換できる着脱可能なハードディスク（リムーバブル・ハードディスク）が提案され、さらに様々な用途に合わせ、サイズの異なるリムーバブル・ハードディスクも提案されている。例えば、多少携帯性を犠牲にし、大型ではあるが記録容量の大きいリムーバブル・ハードディスクや、記録容量は少ないが小型軽量で携帯性を重視したリムーバブル・ハードディスクなど多様化した記録メディアが出現している。
【０００５】
このようなリムーバブル・ハードディスクの着脱機構としては、例えば、特許文献１に開示されるものがあった。この特許文献１の機構では、ハードディスクを収容するシャーシと、ハードディスクが挿入されたときの係止及び係止解除を行う挿抜機構と、この挿抜機構に連動して動作し且つハードディスクを抜くために操作されるイジェクト操作部材と、ハードディスクのコネクタに接続されるソケット付きの回路基板とを備えている。
【特許文献１】特開２００２−２８８９７７号公報
【発明の開示】
【発明が解決しようとする課題】
【０００６】
しかしながら、従来のリムーバブル・ハードディスク着脱機構では、複数の異なるサイズのリムーバブル・ハードディスクを受容することができず、多用なリムーバブル・ハードディスクを有効利用できない、という問題があった。そこで、複数の異なるサイズのリムーバブル・ハードディスクを受容するためのソケット機構を設けることが考えられるが、このようなソケット機構をシンプルな構成で実現することは非常に困難であった。
【０００７】
本発明は上記従来の問題点に鑑み、本体側装置に着脱可能に使用される長さの異なる電子機器を簡素な構成で受容することができるソケット機構を備えたローディング装置を提供することを目的とする。
【課題を解決するための手段】
【０００８】
上記目的を達成するために、本発明のローディング装置では、電子部品に電気的に接続された第一コネクタを有する電子機器の前記第一コネクタに電気的に接続する第二コネクタと、前記第二コネクタを搭載した第一シャーシと、前記電子機器の挿入排出方向へ前記第一シャーシをガイドするガイド部材を有する第二シャーシと、前記第一シャーシを前記電子機器の排出方向へ付勢するバネとを備え、前記第一コネクタと前記第二コネクタとが接続されて、前記電子機器を当該ローディング装置から取り外し可能な第一の位置と、前記第一コネクタと前記第二コネクタとが接続されて、前記電子機器を当該ローディング装置から取り外すことができない第二の位置との間で前記第一シャーシが移動可能であることを特徴とする。
【０００９】
また、本発明のローディング装置は、内蔵した電子部品に電気的に接続された第１コネクタを有する電子機器を装着可能なローディング装置であって、前記第１コネクタと接続される第２コネクタを搭載した第１シャーシと、前記第１シャーシを保持し、前記電子機器の挿入および排出方向へ移動可能な第２シャーシと、前記第１シャーシに前記電子機器を装着した状態で移動する前記第１シャーシを、前記電子機器の側面に設けられた部材の位置において前記第１シャーシをロックするロック部材とを備え、前記装着される電子機器の長さの違いにより、前記ロック部材によるロック位置が異なることを特徴とする。
【発明の効果】
【００１０】
本発明によれば、長さの異なる第一の電子機器を着脱可能に受容するソケット機構を簡素な構成で実現することができる。
【発明を実施するための最良の形態】
【００１１】
本発明のローディング装置の実施の形態について、図面を参照しながら説明する。
【００１２】
［第一実施形態］
以下、本発明の一実施の形態について、図面を用いて詳細に説明する。
【００１３】
＜リムーバブルＨＤＤの挿入開始時の状態＞
図１は、本発明のローディング装置の第一実施形態に係る構成を示す平面図であり、本実施形態のローディング装置に、リムーバブル・ハードディスク（以下リムーバブルＨＤＤ）を挿入し始めた状態を表している。図２は、図１に示したローディング装置の側面図であり、前記の挿入開始状態を右側面から見た様子を表している。
【００１４】
図１及び図２において、１はリムーバブルＨＤＤであり、５はリムーバブルＨＤＤ１が装着可能なソケットである。リムーバブルＨＤＤ１には不図示のハードディスクが内蔵され、外側をケース６により覆われ、先端部にはコネクタ２が設けられている。コネクタ２はリムーバブルＨＤＤ１に内蔵されたハードディスクと電気的に接続されている。リムーバブルＨＤＤ１の両側面部には溝３が形成され、溝３はコネクタ２の先端部まで繋がっている。また、リムーバブルＨＤＤ１の両側面部には切欠き部４が形成され溝３と繋がっている。
【００１５】
７はシャーシでありソケット５の骨格を形成している。シャーシ７の内側にはレール１６，１７が設けられ、リムーバブルＨＤＤ１の溝３と係合している。したがって、リムーバブルＨＤＤ１はレール１６，１７に沿って矢印Ｋ方向へ移動しソケット５へ挿入される。８，９はロックツメであり、ロックツメ８，９には軸８ｂ，９ｂが一体に設けられ、軸８ｂ，９ｂはシャーシ７へ回転自由に取り付けられている。
【００１６】
ツメ８，９はほぼ左右対象形状をしているので、ツメ８について説明する。軸８ｂにはねじりコイルバネ１１が挿入され、ねじりコイルバネ１１の一端はロックツメ８に設けられた凸部８ａに圧接し、他端はシャーシ７に設けられた凸部１４に圧接している。そのため、ロックツメ８は矢印Ａ方向に付勢されている。シャーシ７の裏面側にはレバー８ｃがあり、レバー８ｃは軸８ｂと結合されている。さらにレバー８ｃには軸８ｄが一体に設けられ、レバー９ｃに設けられた長穴９ｄに挿入されている。また、軸８ｄからレバー９ｃが抜けぬように、Ｅリング１０が軸８ｄに挿入されている。
【００１７】
２０はスライド部であり、コネクタ２と接続されるコネクタ２１が固定され、コネクタ２１は基板２２にはんだ付けされている。基板２２のコネクタ２１の取り付け面裏側には、コネクタ２３がはんだ付けされ、コネクタ２３にはフレキシブルケーブル２４が挿入されている。フレキシブルケーブル２４の他端は、不図示のＣＰＵ等が搭載されたメインボードへ接続されている。スライド部２０の両側面には溝３０，３１が形成され、シャーシ７に設けられたレール１８，１９に係合しており、スライド部２０はレール１８，１９に沿って矢印Ｊ、Ｋ方向へ移動可能となっている。また、スライド部２０はバネ２５により矢印Ｊ方向へ付勢されており、図１及び図２で示した状態は、最も矢印Ｊ方向に移動した状態を示している。
【００１８】
３６はオイルダンパ付きのギヤであり、シャーシ７に固定された軸３５に取り付けられている。ギヤ３６を矢印Ｇ，Ｈ方向に回転させる際には、オイルダンパの特性にあった負荷がかかり、特に早く回転させようとすると大きな負荷が加わる構造となっている。また、スライド部２０の側面にはラック３７が形成されたており、スライド部２０の矢印Ｊ，Ｋ方向の位置によっては、ギヤ３６とラック３７は噛合い、噛合っている間はギヤ３６のオイルダンパの特性により、矢印Ｊ，Ｋ方向の移動が規制され、スライド部２０がゆっくりと動くようになっている。
【００１９】
３３はトルクリミッタ付きのギヤであり、シャーシ７に固定された軸３２に取り付けられている。ギヤ３３はトルクリミッタの働きにより、矢印Ｅ方向へ回転させるためには一定トルク以上の力が必要で、それ以下の力では回転しない構造となっている。しかし、矢印Ｆ方向への回転はほとんど負荷がない状態で回すことができる構造となっている。また、スライド部２０が図１に示した位置にあるときには、スライド部２０の側面に形成されたラック３４と噛合っている。したがって、スライド部２０を図１の状態から矢印Ｋ方向へ移動させるためには、一定以上の大きな力が必要となるが、矢印Ｊ方向への移動やギヤ３３とラック３４、ギヤ３６とラック３７が噛合っていない位置では、比較的にスムーズに移動することができる。
【００２０】
４０はソレノイドであり、シャーシ７設けられた取り付け板４１に固定されており、不図示のリード線により、不図示のメインボードに接続されている。
【００２１】
＜リムーバブルＨＤＤの挿入から挿入完了までの状態＞
次に、リムーバブルＨＤＤ１をソケット５へ挿入してから挿入完了までの状態について説明する。
【００２２】
図３は、リムーバブルＨＤＤのコネクタ２とソケット５側コネクタ２１とが完全に結合した状態を示した平面図であり、リムーバブルＨＤＤ１を図１及び図２の状態からソケット５へさらに挿入して、リムーバブルＨＤＤのコネクタ２とソケット５側コネクタ２１とが完全に結合した状態を示している。
【００２３】
コネクタ２をコネクタ２１へ挿入する際の力は、ラック３４を介してギヤ３３を矢印Ｅ方向へ回転させる力と、バネ２５を矢印Ｋ方向へ圧縮させる力との合計に比べ小さくなるように、ギヤ３３のトルクリミッタとバネ２５が設定されている。したがって、リムーバブルＨＤＤ１がソケット５に挿入され、コネクタ２とコネクタ２１が完全に結合するまではスライド部２０は矢印Ｋ方向へ移動しない。
【００２４】
図４は、リムーバブルＨＤＤの完全装着状態を示した平面図であり、リムーバブルＨＤＤ１を図３の状態からさらにソケット５の矢印Ｋ方向へ挿入し、ソケット５へ完全に装着された状態を示している。なお、図４におけるリムーバブルＨＤＤ１は、図２で示した溝３の端部３ａがレール１６の端部１６ａに突当った状態から僅かに矢印Ｊ方向へ移動した状態となっている。
【００２５】
図３で示した状態のリムーバブルＨＤＤ１を、ソケット５に対して矢印Ｋ方向へさらに挿入していくと、図２で示した溝３の端部３ａがレール１６の端部１６ａに突当る。ロックツメ８，９は、ねじりコイルバネ１１，１２によりそれぞれ矢印Ａ，Ｃ方向へ付勢されているため、リムーバブルＨＤＤ１の切欠き部４へ入り込み、ロックツメ８，９に一体に設けられたシャフト８ｅ，９ｅが、シャーシ７に一体に設けられたストパー４２、４３に突当るまで回転し停止する。この状態でリムーバブルＨＤＤ１に対する矢印Ｋ方向にかかる力を解除すると、スライド部２０がバネ２５により矢印Ｊ方向へ付勢されているため、リムーバブルＨＤＤ１は僅かに矢印Ｊ方向へ移動し、ロックツメ８，９の凸部８ａ，９ａが切欠き部４の壁面に突当り、図４の状態となる。リムーバブルＨＤＤ１はロックツメ８，９により矢印Ｊ方向への移動を規制され、さらにスライド部２０がバネ２５により矢印Ｋ方向へ付勢されているので、コネクタ２とコネクタ２１はしっかりと結合しリムーバブルＨＤＤ１もソケット５へ確実に保持される。
【００２６】
＜リムーバブルＨＤＤ１のソケット５からの排出動作＞
次に、リムーバブルＨＤＤ１のソケット５からの排出動作について説明する。
【００２７】
図５は、リムーバブルＨＤＤ１に対するロックが解除された状態を示した平面図であり、ロックツメ８，９が矢印Ｂ，Ｄ方向に回転し、リムーバブルＨＤＤ１に対するロックが解除された瞬間を示している。
【００２８】
不図示の排出用スイッチ等から不図示のＣＰＵへリムーバブルＨＤＤ１の排出要求が発信されると、ＣＰＵはリムーバブルＨＤＤ１の状況を判断し、排出命令を発信しソレノイド４０を作動させる。ソレノイド４０は通電されると、ロッド４５が矢印Ｌ方向へ突き出されシャフト８ｅを押し、ロックツメ８を矢印Ｂ方向へ回転させる。また、ロックツメ８と一体のレバー８ｃも矢印Ｂ方向へ回転し、軸８ｄと長穴９ｄの連結によりレバー９ｃは矢印Ｄ方向へ回転する。レバー９ｃが矢印Ｄ方向に回転することにより、ロックツメ９も同様に矢印Ｄ方向へ回転し、リムーバブルＨＤＤ１の排出（矢印Ｊ方向への移動）を規制していたロックが解除され、バネ２５によりスライド部２０は矢印Ｊ方向へ移動を開始する。
【００２９】
図６は、スライド部２０と共にリムーバブルＨＤＤ１が排出し始めた状態を示す平面図であり、ロックツメ８，９によるリムーバブルＨＤＤ１対するロックが解除され、スライド部２０がリムーバブルＨＤＤ１と共に矢印Ｊ方向へ移動し、ラック３７とギヤ３６が噛合い始めた状態を示している。
【００３０】
同図に示したように、ラック３７とギヤ３６が噛合っているため、ギヤ３６は矢印Ｈ方向へ回転しようとするが、オイルダンパ構造となっているため、ゆっくりと回転する。そのため、スライド部２０の矢印Ｊ方向への移動は減速され、図３に示した位置までリムーバブルＨＤＤ１は矢Ｊ方向へゆっくりと排出される。この間にラック３４とギヤ３３が噛合いギヤ３３は矢印Ｆ方向に回転するが、矢印Ｆ方向の回転にはトルクリミッタは働かず、スムーズに回転するため、スライド部２０の矢印Ｊ方向の移動に関しては、ギヤ３３の回転による負荷はほとんど影響を受けない。そして、リムーバブルＨＤＤ１は図３の状態まで排出されたところで停止し、取り外し可能状態となる。
【００３１】
なお、第一実施形態では、ロック解除のためのアクチュエータとしてソレノイドを使用したが、アクチュエータとしてはソレノイドに限定する必要はなく、ＤＣモータやパルスモータ等を使用しても構わない。
【００３２】
＜複数の長さのリムーバブルＨＤＤに対応＞
上記説明では、一定長さのリムーバブルＨＤＤ１をソケット５に着脱する場合を説明したが、ソケット５は複数の長さのリムーバブルＨＤＤに対応できる構造となっている。そこで、次に、二種類の長さのリムーバブルＨＤＤをソケット５に装着した場合について説明する。
【００３３】
図７（ａ），（ｂ）は、異なる長さの二種類のリムーバブルＨＤＤをソケット５へ装着した状態を示す平面図であり、同図（ａ）は長いリムーバブルＨＤＤ１Ｌを装着した場合を示し、同図（ｂ）は短いリムーバブルＨＤＤ１Ｓを装着した場合を示している。
【００３４】
同図７（ａ），（ｂ）において、リムーバブルＨＤＤ１Ｌ，１Ｓは、その各々の長さＬ１、Ｌ２に関してＬ１がＬ２よりも約１０ｍｍ程長いが、その他はほぼ同一形状をしている。すなわち、切欠き部４の左端面からリムーバブルＨＤＤ１Ｌ，１Ｓの右端面までの長さＰ１、Ｐ２は同じ寸法であり、また、溝３の右端面からリムーバブルＨＤＤ１Ｌ，１Ｓの右端部までの長さＲ１，Ｒ２も同じ寸法となっている。
【００３５】
コネクタ２がソケット５側のコネクタ２１に結合した状態で、リムーバブルＨＤＤ１ＬはリムーバブルＨＤＤ１Ｓに比べ、ソケット５に対して約１０ｍｍ長く出っ張った状態で装着されている。
【００３６】
図８（ａ），（ｂ）は、図７（ａ），（ｂ）の状態から、リムーバブルＨＤＤ１Ｌ，１Ｓがソケット５へ完全に装着された状態を示す平面図である。
【００３７】
同図８（ａ），（ｂ）において、リムーバブルＨＤＤ１Ｌ，１Ｓがソケット５に完全に装着された状態では、図８（ｂ）のリムーバブルＨＤＤ１Ｓのスライド部が、リムーバブルＨＤＤ１Ｌに比べ矢印Ｊ方向に位置しており、ラック３７とギヤ３６が噛合い状態にあるが何ら問題はない。
【００３８】
以上説明したように、本実施形態のローディング装置は、様々な長さのリムーバブルＨＤＤに簡素な構成で対応することができる。
【００３９】
［第二実施形態］
上記第一実施形態では、リムーバブルＨＤＤを排出する際にソレノイドを使用したが、第二実施形態としては、ソレノイドを使用せずに簡単な構成で手動排出できるソケットについて説明する。
【００４０】
図９は、本発明のローディング装置の第二実施形態に係る構成を示す平面図である。また図１０は、図９の状態からリムーバブルＨＤＤ１に対するロックが解除された状態を示した平面図であり、図９の状態からボタン５０が押され、リムーバブルＨＤＤ１に対するロックが解除された瞬間の状態を示している。
【００４１】
図９において、５０は手動排出用のボタンであってロッド５１に圧入されている。ロッド５１はシャーシ７に一体に設けられたガイド５２，５３に挿入され、矢印Ｊ，Ｋ方向へ摺動可能となっており、バネ５５が挿入されている。バネ５５は、ガイド５３と、ロッド５１に固定されたストッパ５４との間で圧縮されており、ロッド５１はフリーの状態では矢印Ｊ方向へ付勢されている。この状態では、ロックツメ８，９は切欠き部４に係合し、リムーバブルＨＤＤ１はソケット５に対して確実に固定されている。
【００４２】
図１０に示すように、ボタン５０が押された瞬間の状態では、ロッド５１はボタン５０とガイド５２が突当るまで矢印Ｋ方向へ移動し、ロックツメ８に一体に設けられたシャフト８ｅを矢印Ｋ方向へ押している。シャフト８ｅが矢印Ｋ方向へ押されることにより、ロックツメ８は矢印Ｂ方向へ回転し、さらに、ロックツメ８と一体のレバー８ｃも矢印Ｂ方向へ回転し、軸８ｄと長穴９ｄの連結によりレバー９ｃは矢印Ｄ方向へ回転し、ロックツメ９も同様に矢印Ｄ方向へ回転するため、リムーバブルＨＤＤ１に対するロックが解除され、リムーバブルＨＤＤ１は矢印Ｊ方向へ移動し排出される。
【００４３】
［第三実施形態］
図１１は、本発明のローディング装置の第三実施形態に係る構成を示す平面図であり、リムーバブルＨＤＤ１がソケット５にセットされた状態を示している。
【００４４】
第二実施形態ではリムーバブルＨＤＤを手動排出できるソケットを説明したが、第三実施形態では、排出は第二実施形態と同様に手動で行うが、リムーバブルＨＤＤの動作中の排出を防止するための排出防止制御にソレノイドを利用する構成について説明する。この場合、排出に使用するソレノイドに比べ、パワーの小さいソレノイドが使用でき、しかも、動作中のリムーバブルＨＤＤの排出が確実に防止できるため、リムーバブルＨＤＤの信頼性が向上する。
【００４５】
図１１においては、リムーバブルＨＤＤ１がソケット５へ装着され、ロックツメ８，９によりロックされた状態を示しており、さらに、ソレノイド７０が駆動され、ロッド７０ａが矢印Ｌ方向に移動した状態を示している。ロッド７０ａはロックツメ８に一体に設けられたシャフト８ｅとほぼ接触状態にあるため、ボタン５０は矢印Ｋ方向には押すことはできない。したがってこの状態ではリムーバブルＨＤＤ１は排出することはできない。また、排出する際はロッド７０ａを矢印Ｍ方向へ移動させ、シャフト８ｅが矢印Ｂ方向へ回転できる状態にすれば、第二実施形態と同様に排出できる。
【００４６】
なお、第三実施形態では、排出防止制御のアクチュエータとして、ソレノイドを使用したが、アクチュエータはソレノイドに限定する必要はなく、ＤＣモータやパルスモータ等を使用しても構わない。
【００４７】
また、排出防止制御は、アクチュエータを使用せず、ロッド７０ａの部分を手動でスライドさせても構わない。この場合は、リムーバブルＨＤＤ１を排出する際に、ロッド７０ａを何らかの手段で動かしながらボタン５０を押さなければならず、そのため誤操作防止の効果がある。
【００４８】
［第四実施形態］
上記各実施形態では、リムーバブルＨＤＤ１をソケット５のコネクタ２１へ挿入する際、スライド部２０の矢印Ｋ方向への移動を規制するために、トルクリミッタ付きのギヤ３３を使用したが、第四実施形態では、トルクリミッタ付きのギヤ以外のものを使用した例について説明する。
【００４９】
図１２は、本発明のローディング装置の第四実施形態に係る構成を示す平面図であり、ソケット５にリムーバブルＨＤＤ１を挿入し始めた状態を示している。
【００５０】
同図において、５９はロック部材であり、シャーシ７に設けられた軸５８に回転自由に挿入されている。ねじりコイルバネ５６も軸５８に挿入され、その一端はシャーシ７に設けられた凸部５７に付勢され、他端はロック部材５９の下面に一体に設けられた凸部５９ａに付勢されている。したがって、ロック部材５９は軸５８を回転中心として、矢印Ｎ方向に付勢され、シャーシ７に設けられた凸部６１に圧接している。
【００５１】
ロック部材５９の上面にはツメ６０があり、ロック部材５９に一体に設けられた軸５９ｂに回転自由に挿入されている。ねじりコイルバネ６２も軸５９ｂに挿入され、その一端はロック部材５９に一体に設けられた凸部５９ｃに付勢し、他端はツメ６０に一体に設けられた凸部６０ａに付勢している。したがってツメ６０は、軸５９ｂを回転中心として矢印Ｒ方向へ付勢され、ロック部材５９に設けられたストッパ部５９ｄに圧接している。
【００５２】
図１３（ａ）は、図１２の状態からリムーバブルＨＤＤ１をソケット５に対して矢印Ｋ方向に挿入し、コネクタ２１とコネクタ２とが結合した状態を示した平面図であり、図１３（ｂ）は、図１３ａの状態よりもさらにリムーバブルＨＤＤ１をソケット５に対して矢印Ｋ方向へ挿入した状態を示した平面図である。
【００５３】
図１３（ａ）に示したように、リムーバブルＨＤＤ１が矢印Ｋ方向へ挿入されていくと、コネクタ２とコネクタ２１が接触し、スライド部２０もリムーバブルＨＤＤ１と共に矢印Ｋ方向へ移動する。そして、スライド部２０に設けられた凸部２０ａとツメ６０が突当る。ロック部材５９は矢印Ｐ方向への力を受けるが、コネクタ２１とコネクタ２を勘合させるための力は、バネ２５を圧縮する力とロック部材５９を矢印Ｐ方向へ回転させる力とを合計した力よりも小さくなるように、バネ２５，５６のバネ力を設定しているために、コネクタ２１とコネクタ２が勘合するまでスライド部２０は矢印Ｋ方向には移動せず、ロック部材５９も矢印Ｐ方向へは回転しない。コネクタ２１とコネクタ２が完全に勘合し、さらに、リムーバブルＨＤＤ１を矢印Ｋ方向へ挿入すると図１３（ｂ）に示したように、バネ２５は圧縮されロック部材５９も軸５８を回転中心として矢印Ｐ方向へ回転する。
【００５４】
図１４（ａ）は、リムーバブルＨＤＤ１が図１３（ｂ）の状態からさらに矢印Ｋ方向へ挿入され、ソケット５に完全に装着された状態を示した平面図である。また、図１４（ｂ）はリムーバブルＨＤＤ１がソケット５より排出される際の動作を示した平面図である。
【００５５】
図１４（ａ）に示したようにリムーバブルＨＤＤ１を図１３（ｂ）の状態からさらに矢印Ｋ方向へ挿入していくと、ロックツメ８，９が矢印Ａ，Ｃ方向へ回転し、凸部８ａ，９ａが切欠き部４に入り込み、リムーバブルＨＤＤ１はソケット５へ完全に装着される。また、ロック部材５９は図１２で示した初期状態へ戻る。
【００５６】
次に図１４（ｂ）に示したように、図１４（ａ）の状態からソレノイド４０を駆動し、ロッド４５を矢印Ｌ方向へ突き出すと、ロックツメ８，９は矢印Ｂ，Ｄ方向へ回転しロックが解除され、リムーバブルＨＤＤ１はスライド部２０と共にバネ２５により、矢印Ｊ方向へ押し出される。このとき、ツメ６０はスライド部２０の凸部２０ａにより、軸５９ｂを回転中心として矢印Ｑ方向へ回転する。なお、ツメ６０を矢印Ｑ方向へ回転させるための力は、スライド部２０が矢印Ｊ方向へ移動するための力に比べ小さくなるように、バネ２５，６２のバネ力は設定されている。また、ロック部材５９も矢印Ｐ方向に力を受けるが、矢印Ｐ方向には回転しないようにバネ５６，６２のバネ力は設定されている。
【００５７】
さらにリムーバブルＨＤＤ１が矢印Ｊ方向へ移動すると、スライド部２０は図１２に示した位置まで移動し、ツメ６０は凸部２０ａから外れ、矢印Ｒ方向へ回転し初期状態へと戻る。
【図面の簡単な説明】
【００５８】
【図１】本発明のローディング装置の第一実施形態に係る構成を示す平面図である。
【図２】図１に示したローディング装置の側面図である。
【図３】リムーバブルＨＤＤのコネクタ２とソケット５側コネクタ２１とが完全に結合した状態を示した平面図である。
【図４】リムーバブルＨＤＤの完全装着状態を示した平面図である。
【図５】リムーバブルＨＤＤに対するロックが解除された状態を示した平面図である。
【図６】スライド部２０と共にリムーバブルＨＤＤが排出し始めた状態を示す平面図である。
【図７】異なる長さのリムーバブルＨＤＤをソケット５へ装着した状態を示す平面図である。
【図８】図７の状態からリムーバブルＨＤＤがソケット５へ完全に装着された状態を示す平面図である。
【図９】本発明のローディング装置の第二実施形態に係る構成を示す平面図である。
【図１０】図９の状態からリムーバブルＨＤＤに対するロックが解除された状態を示す平面図である。
【図１１】本発明のローディング装置の第三実施形態に係る構成を示す平面図である。
【図１２】本発明のローディング装置の第四実施形態に係る構成を示す平面図である。
【図１３】第四実施形態に係るコネクタ２１とコネクタ２が結合した状態を示す平面図である。
【図１４】リムーバブルＨＤＤがソケット５に完全に装着された状態とソケット５より排出される際の動作を示す平面図である。
【符号の説明】
【００５９】
１  リムーバブルＨＤＤ（第一の電子機器）
２  コネクタ（第一コネクタ）
３，３０，３１  溝
４  切欠き部（凹部）
５  ソケット
６  ケース
７  シャーシ（第一シャーシ）
８，９  ロックツメ（ロック手段）
８ａ  凸部
８ｅ  シャフト
９  ロックツメ
９ａ  凸部
１１，１２  ねじりコイルバネ（バネ部材）
１６，１７  レール（第一ガイド部材）
１８，１９  レール（第二ガイド部材）
２０  スライド部（第二シャーシ）
２０ａ  凸部
２１  コネクタ（第二コネクタ）
２４  フレキシブルケーブル（接続手段）
２５  バネ
３３，３６  ギヤ
３４，３７  ラック
４０  ソレノイド
４５，７０ａ  ロッド
５０  ボタン
５１  ロッド
５２，５３  ガイド
５５  バネ（付勢手段）
５６  ねじりコイルバネ
５９  ロック部材
６０  ツメ
６２  ねじりコイルバネ
７０  ソレノイド
【図１】
2005285206.tif 000003
【図２】
2005285206.tif 000004
【図３】
2005285206.tif 000005
【図４】
2005285206.tif 000006
【図５】
2005285206.tif 000007
【図６】
2005285206.tif 000008
【図７】
2005285206.tif 000009
【図８】
2005285206.tif 000010
【図９】
2005285206.tif 000011
【図１０】
2005285206.tif 000012
【図１１】
2005285206.tif 000013
【図１２】
2005285206.tif 000014
【図１３】
2005285206.tif 000015
【図１４】
2005285206.tif 000016